【手続補正書】
【提出日】平成19年8月2日(2007.8.2)
【手続補正１】
【補正対象書類名】明細書
【補正対象項目名】全文
【補正方法】変更
【補正の内容】
【書類名】  明細書
【発明の名称】
キーボードまたはキーパッド用位置決めキー
【特許請求の範囲】
【請求項１】
使用者から離れている頂部列、中間列、および使用者に隣接している底部列を含んでいる少なくとも３つのキー列を含み、各列が左右の端部キーを含んでいる少なくとも３つのキーを有し、各キーが列に対して略平行に延びている頂部および底部縁部分、および列に対して垂直に延びている左右縁部分を有するように略正方形または長方形の形の上方指係合面を有しているキーボードまたはキーパッドにおいて、
前記キーが、
（ｉ）前記列に対して略平行に延びているその頂部縁部分に隣接した頂部左方端キー上の隆起部、
（ｉｉ）前記列に対して略垂直に延びているその左方縁部分に隣接した前記頂部左方端キー上の隆起部、
（ｉｉｉ）前記列に対して略垂直に延びているその左方縁部分に隣接した底部左方端キー上の隆起部、
（ｉｖ）前記列に対して略平行に延びているその底部縁部分に隣接した前記底部左方端キー上の隆起部、
（ｖ）前記列に対して略平行に延びているその底部縁部分に隣接した底部右方端キー上の隆起部、
（ｖｉ）前記列に対して略垂直に延びているその右方縁部分に隣接した前記底部右方端キー上の隆起部、
（ｖｉｉ）前記列に対して略垂直に延びているその右方縁部分に隣接した頂部右方端キー上の隆起部、および
（ｖｉｉｉ）前記列に対して略平行に延びているその上方縁部分に隣接した前記頂部右方端キー上の隆起部を含んでいる、ことを特徴とするキーまたはキーパッド。
【請求項２】
前記頂部左方端キーと前記底部左方端キーとの間のいずれかのキーが前記列に対して略垂直に延びているその左方縁部分に隣接した隆起部を有し、そして前記頂部右方端キーと前記底部右方端キーとの間のいずれかのキーが前記列に対して略垂直に延びているその右方縁部分に隣接した隆起部を有していることを特徴とする請求項３に記載のキーボードまたはキーパッド。
【請求項３】
前記頂部左方端キーと前記頂部右方端キーとの間のいずれかのキーが前記列に対して略平行に延びているその頂部縁部分に隣接した隆起部を有しそして前記底部左方端キーと前記底部右方端キーとの間のいずれかのキーが前記列に対して略平行に延びているその底部縁部分に隣接した隆起部を含んでいることを特徴とする請求項１に記載のキーボードまたはキーパッド。
【請求項４】
前記頂部左方端キーと前記頂部右方端キーとの間のいずれかのキーが前記列に対して略平行に延びているその頂部縁部分に隣接した隆起部を有し、そして、前記底部左方端キーと前記底部右方端キーとの間のいずれかのキーが前記列に対して略平行に延びているその底部縁部分に隣接した隆起部を含んでいることを特徴とする請求項２に記載のキーボードまたはキーパッド。
【請求項５】
使用者から離れている頂部列、中間列、および使用者に隣接している底部列を含んでいる３つの直線列において配置された複数の文字数字キーを有しており、各列が左方および右方端キーを備え、各キーが列に対して略平行に延びている頂部および底部縁部分、および列に対して略垂直に延びている左方および右方側縁部分を有するような略正方形または長方形の形の上方指係合面を有しており、前記キーが左方の第１セットおよび右方の第２セットに位置決めされ、前記第１セットが３つの左方端キーおよび各列の少なくとも次の２つ或いは３つの隣接したキーを含んでおり、前記第２セットが、２つのセットが２，３または４個のキーだけ間隔が置かれるように、３つの右方端キーおよび前記第１セットに向かって間隔が置かれた次の隣接する２つまたは３つのキーを含んでいる、クワーティキーボードにおいて、
前記第１セットのキーが、
（ｉ）前記列に対して略平行に延びているその上方縁部分に隣接した頂部左方端キー上の隆起部、
（ｉｉ）前記列に対して略垂直に延びているその左方縁部分に隣接した前記頂部左方端キー上の隆起部、
（ｉｉｉ）前記列に対して略垂直に延びているその左方縁部分に隣接した中間の左方端キー上の隆起部、
（ｉｖ）前記列に対して略垂直に延びているその左方縁部分に隣接した前記底部左方端キー上の隆起部、
（ｖ）前記列に対して略平行に延びているその底部縁部分に隣接した底部左方端キー上の隆起部、
（ｖｉ）前記列に対して略平行に延びているその底部縁部分に隣接した底部列の前記底部左方端キーに次に隣接したまたは次の２つの隣接したキー上の隆起部、
（ｖｉｉ）前記列に対して略平行に延びているその底部縁部分に隣接した次の隣接した底部キー上の隆起部，
（ｖｉｉｉ）前記列に対して略垂直に延びているその右方縁部分に隣接した前記最後に述べたキー上の隆起部、
（ｉｘ）前記列に対して略垂直に延びているその右方縁部分に隣接した前記最後に述べたキーに次に隣接した中間キー上の隆起部、
（ｘ）前記列に対して垂直に延びているその右方縁部分に隣接した前記最後に述べたキーに次に隣接した頂部キー上の隆起部、
（ｘｉ）前記列に対して略平行に延びているその頂部縁部分に隣接した前記最後に述べたキー上の隆起部、
（ｘｉｉ）前記列に対して略平行に延びているその頂部縁部分に隣接した前記最後に述べたキーと前記頂部左方端キーとの間の各頂部キー上の隆起部を含んでおり、そして
前記第２セットのキーが、
（ｉ）前記列に対して略平行に延びているその上方縁部分に隣接した頂部右方端キー上の隆起部、
（ｉｉ）前記列に対して略垂直に延びているその右方縁部分に隣接した前記頂部右方端キー上の隆起部、
（ｉｉｉ）前記列に対して略垂直に延びているその右方縁部分に隣接した中間のキー上の隆起部、
（ｉｖ）前記列に対して略垂直に延びているその右方縁部分に隣接した前記底部右方端キー上の隆起部、
（ｖ）前記列に対して略平行に延びているその底部縁部分に隣接した底部右方端キー上の隆起部、
（ｖｉ）前記列に対して略平行に延びるその底部縁部分に隣接した底部列の前記底部右方端キーに次に隣接のまたは次の２つの隣接するキー上の隆起部、
（ｖｉｉ）前記列に対して略平行に延びているその底部縁部分に隣接した次に隣接する底部キー上の隆起部、および
（ｖｉｉｉ）前記列に対して略垂直に延びているその左方縁部分に隣接した前記最後に述べたキー上の隆起部、
（ｉｘ）前記列に対して略垂直に延びているその左方縁部分に隣接した前記最後に述べたキーに次に隣接する中間キー上の隆起部、
（ｘ）前記列に対して略垂直に延びているその左方縁部分に隣接した前記最後に述べたキーに次に隣接した頂部キー上の隆起部、
（ｘｉ）前記列に対して平行に延びているその頂部縁部分に隣接した前記最後に述べたキー上の隆起部、
（ｘｉｉ）前記列に対して略平行に延びているその頂部縁部分に隣接した前記最後に述べたキーと前記頂部右方端キーとの間の各頂部キー上の隆起部を含んでいることを特徴とするクワーティキーボード。
【請求項６】
各セットが２つのセットが各列において２つのキーだけ間隔が置かれるように各列から４つのキーを含んでいることを特徴とする請求項５に記載のクワーティキーボード。
【請求項７】
各端キーの２つの隆起部が合流することを特徴とする請求項５に記載のクワーティキーボード。
【請求項８】
各端キーの２つの隆起部が合流することを特徴とする請求項６に記載のクワーティキーボード。
【発明の詳細な説明】
【０００１】
（技術分野）
本発明の１つは、キーボードまたはキーパッド上のキー、即ち、キーボード／キーパッド操作技能を改善するコンピュータまたは電子キーボードまたはキーパッド用位置決めキーに関し、より詳しくは、排他的ではないけれども、使用者から離れている頂部列、中間列、および使用者に隣接している底部列を含んでいる少なくとも３つのキー列を含み、各列が左右の端部キーを含んでいる少なくとも３つのキーを有し、各キーが列に対して略平行に延びている頂部および底部縁部分、および列に対して垂直に延びている左右縁部分を有するように略正方形または長方形の形の上方指係合面を有しているキーボードまたはキーパッドに関する。
【０００２】
また、本発明の他の１つは、使用者から離れている頂部列、中間列、および使用者に隣接している底部列を含んでいる３つの直線列において配置された複数の文字数字キーを有しており、各列が左方および右方端キーを備え、各キーが列に対して略平行に延びている頂部および底部縁部分、および列に対して略垂直に延びている左方および右方側縁部分を有するような略正方形または長方形の形の上方指係合面を有しており、前記キーが左方の第１セットおよび右方の第２セットに位置決めされ、前記第１セットが３つの左方端キーおよび各列の少なくとも次の２つ或いは３つの隣接したキーを含んでおり、前記第２セットが、２つのセットが２，３または４個のキーだけ間隔が置かれるように、３つの右方端キーおよび前記第１セットに向かって間隔が置かれた次の隣接する２つまたは３つのキーを含んでいる、タイプライター式配列のクワーティキーボードに関する。
【０００３】
（発明の背景）
相当数の現代の電子装置は装置に命令を手で入力するのに或る種のキーボードまたはキーパッドを備えている。キーボードの殆どの共通の形状は共通の家庭用および業務用ＰＣキーボードの形状でありそしてキーパッドのほとんどの共通の形状は携帯電話の形状である。
【０００４】
キーボードを参照すると、共通のキーボードの１つを使用する入力の最も広範に推奨される方法は「タッチタイピング」方法である。この方法は、使用者がキーボードを見ることなく彼らのすべての指を使用してタイプすることができるようにキーボード配列を完全に記憶するように単に使用者を訓練する。この方法は一定の練習および各指を特定のグループのキーに割り当てることによって達成される。
【０００５】
とくに、「タッチタイピング」方法は各それぞれの指を「ホーム」キー上に軽く置き、例えば、タイプライター式配列のクワーティキーボードにおいてこれらのホームキーは左方から右方へ「ａｓｄｆ」および「ｊｋｌ；」である。親指は、その場合に、スペースバー上に置かれる。各指はそのホームキー上に軽く載りそして指がホームキーの直ぐ上方または下方でキーをまたは人指し指の各々の場合に、ホームキーの側辺で直ぐにキーを叩くように延びないならば動かず、その場合に指はそのホームキーに迅速に戻る。したがって、各指は叩くべき一定のキーのみを有している。
【０００６】
訓練されてないキーボードオペレータは「ハント・アンド・ペック（雨垂れ式の打ち方）」方式と呼ばれる方法を使用している。通常、彼らは彼らの２本の指のみまたは多くて彼らの最良の４本の指、人指し指および中指のみを使用している。この方法は、タイピストが彼らの目をキーボード上に保持することを必要としかつこれが生産性を左右する。それらのタイピストの幾らかはタッチタイピストとほぼ同様な速さでタイプすることができるけれども、非常に早い雨垂れ式タイピングは、手が２または４本の指のみによりすべてのキーに到達するようにキーボードのまわりすべてを這わねばならないため、タッチタイピストに関してより多く疲れている。要約すれば、「キーボード」には正しくは、タイピストは上述したタッチタイピング方法を使用すべきである。適切なタイピングにおいて中間の考え方はなく、タイピストが正しくタイピングしてないならば、彼は不正確にタイピングしている。同様な問題はキーパッドの使用において生起する。
【０００７】
従来技術の幾つかの欠点を克服するような試みにおいて、多くの代替の形状のキーボードが開発された。かかる１つのキーボードは、使用者の左右の手の受容のための２つの井戸状の窪みを有するキーボードを記載しているＫＩＮＥＳＩＳ（キネシス）キーボード（例えば、ハーグリーブズ等のアメリカ合衆国特許第６，００５，４９６号）である。かかるキーボードの利点は、井戸状の窪みの位置が使用者の腕を使用者の前方に真っ直ぐに伸ばさせそれにより使用者が彼または彼女の手をキーボードに沿って移動する必要を減少するということである。しかしながら、キーボードのこれらの型式は操作が複雑でかつ使用者がキーの組み合わせおよびマクロスを記憶することに依存している。
【０００８】
例えば、アメリカ合衆国特許第１，８２３，１３０号、同第３，３９６，８２７号、同第３，８４８，７２３号、同第５，５１５，７６３号および同第４，１８０，３３６号のごとき多くのの他のパターンが、長手方向隆起部、スロット、隆起部の列、ノブ、クレーターおよびざらざらした表面を含んでいる頂部面を有するキーボード用キーを記載している。
【０００９】
それゆえ、まだ、正しくタッチタイピングするようにタイピストに「強制」しかくしてタイピングの不正確さを減少しかつ非常な骨折りおよび努力を最小にするキーボードまたはキーパッドに関する技術における要求が残っている。
【００１０】
（発明の目的）
本発明の目的は、従来技術の欠点の幾つかを克服または改善するか、または有用な代替物を設けることにある。
【００１１】
（発明の概要）
本書で開示される第１の発明によれば、前記キーが、
（ｉ）前記列に対して略平行に延びているその頂部縁部分に隣接した頂部左方端キー上の隆起部、
（ｉｉ）前記列に対して略垂直に延びているその左方縁部分に隣接した前記頂部左方端キー上の隆起部、
（ｉｉｉ）前記列に対して略垂直に延びているその左方縁部分に隣接した底部左方端キー上の隆起部、
（ｉｖ）前記列に対して略平行に延びているその底部縁部分に隣接した前記底部左方端キー上の隆起部、
（ｖ）前記列に対して略平行に延びているその底部縁部分に隣接した底部右方端キー上の隆起部、
（ｖｉ）前記列に対して略垂直に延びているその右方縁部分に隣接した前記底部右方端キー上の隆起部、
（ｖｉｉ）前記列に対して略垂直に延びているその右方縁部分に隣接した頂部右方端キー上の隆起部、および
（ｖｉｉｉ）前記列に対して略平行に延びているその上方縁部分に隣接した前記頂部右方端キー上の隆起部を含んでいる。
【００１２】
さらに本書で開示されるのは、本発明のもう１つのものは、前記第１セットのキーが、
（ｉ）前記列に対して略平行に延びているその上方縁部分に隣接した頂部左方端キー上の隆起部、
（ｉｉ）前記列に対して略垂直に延びているその左方縁部分に隣接した前記頂部左方端キー上の隆起部、
（ｉｉｉ）前記列に対して略垂直に延びているその左方縁部分に隣接した中間の左方端キー上の隆起部、
（ｉｖ）前記列に対して略垂直に延びているその左方縁部分に隣接した前記底部左方端キー上の隆起部、
（ｖ）前記列に対して略平行に延びているその底部縁部分に隣接した底部左方端キー上の隆起部、
（ｖｉ）前記列に対して略平行に延びているその底部縁部分に隣接した底部列の前記底部左方端キーに次に隣接したまたは次の２つの隣接したキー上の隆起部、
（ｖｉｉ）前記列に対して略平行に延びているその底部縁部分に隣接した次の隣接した底部キー上の隆起部，
（ｖｉｉｉ）前記列に対して略垂直に延びているその右方縁部分に隣接した前記最後に述べたキー上の隆起部、
（ｉｘ）前記列に対して略垂直に延びているその右方縁部分に隣接した前記最後に述べたキーに次に隣接した中間キー上の隆起部、
（ｘ）前記列に対して垂直に延びているその右方縁部分に隣接した前記最後に述べたキーに次に隣接した頂部キー上の隆起部、
（ｘｉ）前記列に対して略平行に延びているその頂部縁部分に隣接した前記最後に述べたキー上の隆起部、
（ｘｉｉ）前記列に対して略平行に延びているその頂部縁部分に隣接した前記最後に述べたキーと前記頂部左方端キーとの間の各頂部キー上の隆起部を含んでおり、そして
前記第２セットのキーが、
（ｉ）前記列に対して略平行に延びているその上方縁部分に隣接した頂部右方端キー上の隆起部、
（ｉｉ）前記列に対して略垂直に延びているその右方縁部分に隣接した前記頂部右方端キー上の隆起部、
（ｉｉｉ）前記列に対して略垂直に延びているその右方縁部分に隣接した中間のキー上の隆起部、
（ｉｖ）前記列に対して略垂直に延びているその右方縁部分に隣接した前記底部右方端キー上の隆起部、
（ｖ）前記列に対して略平行に延びているその底部縁部分に隣接した底部右方端キー上の隆起部、
（ｖｉ）前記列に対して略平行に延びるその底部縁部分に隣接した底部列の前記底部右方端キーに次に隣接のまたは次の２つの隣接するキー上の隆起部、
（ｖｉｉ）前記列に対して略平行に延びているその底部縁部分に隣接した次に隣接する底部キー上の隆起部、および
（ｖｉｉｉ）前記列に対して略垂直に延びているその左方縁部分に隣接した前記最後に述べたキー上の隆起部、
（ｉｘ）前記列に対して略垂直に延びているその左方縁部分に隣接した前記最後に述べたキーに次に隣接する中間キー上の隆起部、
（ｘ）前記列に対して略垂直に延びているその左方縁部分に隣接した前記最後に述べたキーに次に隣接した頂部キー上の隆起部、
（ｘｉ）前記列に対して平行に延びているその頂部縁部分に隣接した前記最後に述べたキー上の隆起部、
（ｘｉｉ）前記列に対して略平行に延びているその頂部縁部分に隣接した前記最後に述べたキーと前記頂部右方端キーとの間の各頂部キー上の隆起部を含んでいる。
【００１３】
（発明を実施するための最良の形態）
改良されたキーボードは元の標準のキーボードへの特殊な変更の結果である。この元のキーボード１０は一般的な使用にあり、かつ例は図１に示されている。明瞭にするために、標準のキーボードの一般に許容される幾何学的デザインがまず改良されたキーボードのジオメトリを理解するための基礎を設けるために説明される。しかしながら、本発明の変更は標準のキーボードに適用されるように思われるが、これらの同一の変更が他の多数のキーボードデザインにも同様に適用され得ることに留意すべきでいる。
【００１４】
標準のキーボード１０のキーは、完全な標準キーボードに略長方形の外観を付与するために通常水平に細長い外方機能および変更子キーを除いて、形状および大きさにおいて略同一である。通常のキーは使用者から離れている頂部縁部分３、使用者に隣接している底部縁部分４、左方縁部分５および右方縁部分６を有している略正方形または長方形の形の上方指係合面２を含んでいる。隆起部２２が縁の少なくとも１つに配置される。
【００１５】
標準のキーボードは、一般に、キーの、少なくとも３つの、しかし通常５つの平行な、水平な列の主文字数字本体からなっている（図１）。少なくとも３つの列は使用者から離れた頂部列、中間列および使用者に隣接した底部列からなることができ、列は一般に一連の機能キーがそれに続いている一連の文字数字キーからなっている。例えば、図１において、３つの中間列１２，１３，１４の各々は或る種の変更子または機能キーによって各列の端部で境界付けられる、一連のアルファベットまたは文法的記号（クワーテイまたはドボラック（Ｄｖｏｒａｋ配列）のごとき）を含んでいる。すなわち、使用者から離れた列１２は離れた左方縁部上のＱで始まりかつ離れた右方縁部上のＰで終わっているそのアルファベットキーを有している。列１３は中間の列でありそして離れた左方縁部上のＡで始まりかつＬで終わっているそのアルファベットキーを有している。同様に、使用者に隣接している列１４は離れた左方縁部上のＺで始まりかつ離れた右方のＭで終わっているそのアルファベットキーを有している。
【００１６】
タイピストに最も近接して（すなわち、使用者に隣接して）かつ中間の３つの主列の下方列１４の直ぐ下に位置決めされた最も下方のキー列２４は、一般に、長いスペースバー１５のいずれかの端部上の変更子または機能キーから作られている。中間の３つの主列の上方列の上方に位置決めされた、第２の持つとも高いキー列１６は、一般に、主として数字を示すキーから作られる。最も高い列１１（使用者から離れた）は、通常、機能キーから作られている。
【００１７】
標準のキーボードの水平列１６，１２，１３，１４，２４は、通常、ずれなしで一直線に整列され、キーの垂直配列は通常互い違いにされ、そしてそれは標準のキーボード１０（図１）のジオメトリを作っている水平および垂直キー関係のこの特別な並置である。とくに、垂直配列シフトに関する参照は、一般に、ホーム列、または中間列１３である。ホーム列の直ぐ下の列１４、一般に下方アルファベット列は、通常、この列のキーがホーム列１３のキー間のスペースとまたはその近傍の垂直の整列に向けられたそれらの中間点を有するように、通常、構成される。ホーム列１３の直ぐ上方の列１２、一般には、ホーム列１３の上方の列である上方アルファベット列は、通常、この列１６のキーがこれらの直ぐ下の列１２のキー間のスペースとまたはその近傍に垂直配列に向けられるそれらの中間点を有するように構成される。
【００１８】
この全般的なキー関係は標準のキーボードジオメトリ（図１）として通常言及されるものについて必須である。かかるキーボードのキーに割り当てられるアルファベット記号の特別な構成は変化し得るが、一方、これはキーボード１０の幾何学的説明、または改良されたキーボードの変更へのその適用性に影響を及ぼさない。
【００１９】
その１変形例が図３に示される、本発明の少なくとも１つの好適な実施例の主題、改良されたキーボード２０の基礎は、特殊な帰還を発生する手段を幾つかのキーに設ける着想である。帰還はキーの位置に応じて異なりかつ幾つかのキーの帰還が指がその中で走行し得る仮想の「ボックス」を作るようになっている。言い換えれば、キーは「壁」が作られるように変更され、その壁は指が感じかつその壁の中で指が作動するように案内（かつほとんど強制）される。それゆえ、キーの特別なデザインはタイピストに指がある正確な感じを付与するだけでなく、また、キーは、それらが変更が作り出した「壁」内に留まるようにタイピストをほとんど「強制」するように変更されている。
【００２０】
これは、順次、特定のキー上への特定の指の使用を容易（かつほとんど強制）しかつ結局、タイピストを正しい指の使用において熟達させかつしたがってタッチタイピングにおいて熟達させる。
【００２１】
本書で説明される実施例において、標準のクワーティキーボードの以下のキーが変更された。
【００２２】
１．キー「Ｑ」２１は頂部境界および左方境界に割り当てられた略「Ｌ」形状の隆起部２２を有している（図２Ａ）。隆起部２２は、指がキーボード２０上の特定の位置、すなわち、キーＱ，Ｗ，Ｅ，Ｒ，Ｆ，Ｖ，Ｃ，Ｘ，Ｚ，Ａによって形成された想像上の長方形のボックス２３の上方左方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００２３】
２．キー「Ｒ」２４は上方境界および右方境界に割り当てられた略「Ｌ」形状の隆起部２５を有している（図２Ｂ）。隆起部２５は、指がキーボード２０上の特定の位置、すなわち、上記１において記載された同一の想像上の長方形のボックス２３の上方右方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００２４】
３．キー「Ｖ」２６は底部境界および右方境界に割り当てられた略「Ｌ」形状の隆起部２７を有している（図２Ｃ）。隆起部２７は、指がキーボード２０上の特定の位置、すなわち、上記１において記載された同一の想像上の長方形のボックス２３の下方右方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００２５】
４．キー「Ｚ」２８は底部境界および左方境界に割り当てられた略「Ｌ」形状の隆起部２９を有している（図２Ｄ）。隆起部２９は、指がキーボード２０上の特定の位置、すなわち、上記１において記載された同一の想像上の長方形のボックス２３の下方左方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００２６】
５．キー「Ａ」３０および「Ｆ」３１は各々、ホームキー「Ａ」３０の場合に左方境界にかつキー「Ｆ」３１の場合に右方境界に割り当てられた略「Ｌ」形状の隆起部３２，３３を有している（図２Ｅおよび図２Ｆ）。これらの隆起部３２，３３は、帰還が隅部なしの横方向の隆起部の帰還であるので、指が「中間」の列にある帰還情報をこれらのキーを使用するように指定された２本の指に設けるように設計される。言い換えれば、指は「隅部」位置にないことを感じる。
【００２７】
６．キー「Ｕ」３４は頂部境界および左方境界に割り当てられた略「Ｌ」形状の隆起部２２を有している（図２Ａに示されたと同様）。隆起部は、指がキーボード上の特定の位置、すなわち、キーＵ，Ｉ，Ｏ，Ｐ，；，／，＞，＜，Ｍ，Ｊによって形成された想像上の長方形のボックス３５の上方左方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００２８】
７．キー「Ｐ」３６は上方境界および右方境界に割り当てられた略「Ｌ」形状の隆起部を有している（図２Ｂに示されたと同様）。隆起部は、指がキーボード上の特定の位置、すなわち、上記６において記載された同一の想像上の長方形のボックス３５の上方右方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００２９】
８．キー「Ｍ」３７は底部境界および左方境界に割り当てられた略「Ｌ」形状の隆起部を有している（図２Ｄに示されたと同様）。隆起部は、指がキーボード上の特定の位置、すなわち、上記６において記載された同一の想像上の長方形のボックス３５の下方右方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００３０】
９．キー「／」３８は底部境界および右方境界に割り当てられた略「Ｌ」形状の隆起部を有している（図２Ｃに示されたと同様）。隆起部は、指がキーボード上の特定の位置、すなわち、上記６において記載された同一の想像上の長方形のボックス３５の下方右方隅部に達した帰還情報を指に設けるように設計される。しかしながら、留意されるべきことは、「Ｌ」形状の隆起部は２つの別個の隆起部、すなわち、頂部境界上の隆起部および左方境界上の隆起部によって形成され得るということである。
【００３１】
１０．キー「Ｊ」３９および「；」４０はホームキー３９の場合に左方境界にかつキー「；」４０の場合に左方境界に割り当てられた略「Ｌ」形状の１つの隆起部を有している（図２Ｅおよび図２Ｆに示されたと同様）。これらの隆起部は、指が上記６において記載された想像上の長方形のボックス３５の中間の列にある帰還情報をこれらのキーを使用するように指定された２本の指設けるように設計されている。
【００３２】
同一の方法において、図１に示されたクワーティキーボード１０の数字キーは、それらが同一の正帰還情報を設けかつ指がキー「７」、「８」、「９」、「４」、「６」、「１」、「２」および「３」に割り当てられた「壁」によって形成された「ボックス」４１内で作動することができるように変更された。理解され得ることは、変更が、キー「８」４２および「２」４３を除いて、キーボード２０のアルファベット部分の同様に位置決めされたキーに対する変更と同一であるということである。したがって、
【００３３】
１．キー「７」２１は頂部および左方境界に割り当てられた略「Ｌ」形状の隆起部を有している（図２Ａに示されたと同様）。隆起部は、指がキーボード２０上の特定の位置、すなわち、キー７，８，９，６，３，２，１，４によって形成された想像上の長方形のボックス４１の上方左方隅部に達した帰還情報を指に設けるように設計される。
【００３４】
２．キー「９」は上方境界および右方境界に割り当てられた略「Ｌ」形状の隆起部を有している（図２Ｂに示されたと同様）。隆起部は、指がキーボード２０上の特定の位置、すなわち、上記１において記載された同一の想像上の長方形のボックス４１の上方右方隅部に達した帰還情報を指に設けるように設計されている。
【００３５】
３．キー「３」は底部境界および右方境界に割り当てられた略「Ｌ」形状の隆起部を有している（図２Ｃに示されたと同様）。隆起部は、指がキーボード２０上の特定の位置、すなわち、上記１において記載された同一の想像上の長方形のボックス４１の下方右方隅部に達した帰還情報を指に設けるように設計されている。
【００３６】
４．キー「１」は底部境界および左方境界に割り当てられた略「Ｌ」形状の隆起部を有している（図２Ｄに示されたと同様）。隆起部は、指がキーボード２０上の特定の位置、すなわち、上記１において記載された同一の想像上の長方形のボックス４１の下方左方隅部に達した帰還情報を指に設けるように設計されている。
【００３７】
５．キー「４」は左方境界に割り当てられた１つの隆起部を有しており（図２Ｅに示されたと同様）、その隆起部は、指がキーボード２０上の特定の位置、すなわち、上記１において記載された同一の想像上の長方形のボックス４１の右方中間縁部に達した帰還情報を指に設けるように設計される。
【００３８】
６．キー「６」は右方境界に割り当てられた１つの隆起部を有しており（図２Ｆに示されたと同様）、その隆起部は、指がキーボード２０上の特定の位置、すなわち、上記１に記載された同一の想像上の長方形のボックス４１の頂部中間縁部に達した帰還情報を指に設けるように設計される。
【００３９】
７．キー「８」４２は上方境界に割り当てられた１つの隆起部４４を有しており（図２Ｇに示されたと同様）、その隆起部は、指がキーボード２０上の特定の位置、すなわち、上記１において記載された同一の想像上の長方形のボックス４１の頂部中間縁部に達した帰還情報を指に設けるように設計される。
【００４０】
８．キー２Ｍ」４３は底部境界に割り当てられた１つの隆起部４５を有しており（図２Ｈに示されたと同様）、その隆起部は、指がキーボード２０上の特定の位置、すなわち、上記１において記載された同一の想像上の長方形のボックス４１の下方中間縁部に達した帰還情報を指に設けるように設計される。
【００４１】
理解されることは、上述された同一の変更が、所望ならば、同様な位置的感触および帰還を得るように、コンピュータのスクリーンのまわりにカーソルを動かすのに使用されかつ「逆Ｔ」として知られる方向キー４６、または同様に機能キー４７（「インサート」、「ホーム」「ページアップ」、「ディレート」、「エンド」、「ページアップ」）を変更するのに使用され得るということである。
【００４２】
また、理解され得ることは、上の番号４および６において記載された変更が、所望ならば、同様な位置的感触および帰還を得るように、図１のクワーティキーボード１０の列１６のキー「１」、「４」、「７」、「０」４８を変更するのに使用され得るということである。
【００４３】
クワーティキーボードまたは同様なキーボードのさらに他のキーは、「Ｗ」、「Ｅ」、「Ｉ」、「Ｏ」に対応するキーが、すべて、上の番号７において記載されたようにキー「８」の隆起部と同様なそれぞれのキーの頂部に割り当てられた隆起部を有するように変更されることができる。同様に、キー「Ｘ」、「Ｃ」、「＜」、「＞」は、また、上の番号８において記載されたようにキー「２」の隆起部と同様な各それぞれのキーの底部に割り当てられた隆起部をそれぞれ有している。この方法において、さらに定義された「ボックス」が得られ、その中で左または右手の指が動くように強いられる。
【００４４】
それゆえ、また、理解され得ることは、頂部または底部境界上に隆起部を有しているキーがそれぞれのボックス内での指の位置に関して使用者を刺激している幾何学的指標を設けるということである。これは、また、使用者の指が特定の列に対して平行または垂直であるかどうかを指示する。
【００４５】
上記は多数の特殊性を含んでいるが、これらは本発明の範囲についての限定として解釈されるべきでなく、しかもむしろその１つの好適な実施例の例示として理解されるべきである。例えば、異なる標準のキーボードが同様に変更され得る。加えて、キー上の「壁」は異なる高さ、厚さおよび形状および外観からなることができそしてさらに本発明の主題である帰還を活動的にする。加えて、この発明は「マイクロソフトナチュラルキーボード」および同等のキーボードまたは非アルファベットキーまたは指定、和音可能性、単一または多重ハンド設計、または小型化を使用するような屈曲面に生計されたキーボードまたはキーパッドに応用され得る。加えて、本発明は電話、計算機、キャッシュレジスタ、電気器具および他の電子装置に使用されるキーパッドに適用されることができる。キーはキーパッドといつ体であってもよいかまたは隆起部は「通常の」キーボードまたはキーパッドのキーへの取着のための自己接着裏張りを備えたプラスチツク材料から形成されることもできる。
【００４６】
本発明は特別な例を参照して説明されたけれども、本発明が多数の他の形状において具体化され得ることは当該技術に熟練した者によって理解される。
【図面の簡単な説明】
【図１】
代表的な標準のクワーティキーボードを示している斜視図である。
【図２Ａ】
クワーティキーボードの幾つかのキーが本発明による正帰還を設けるためにどのように変更されるかを示す概略図である。
【図２Ｂ】
クワーティキーボードの幾つかのキーが本発明による正帰還を設けるためにどのように変更されるかを示す概略図である。
【図２Ｃ】
クワーティキーボードの幾つかのキーが本発明による正帰還を設けるためにどのように変更されるかを示す概略図である。
【図２Ｄ】
クワーティキーボードの幾つかのキーが本発明による正帰還を設けるためにどのように変更されるかを示す概略図である。
【図２Ｅ】
クワーティキーボードの幾つかのキーが本発明による正帰還を設けるためにどのように変更されるかを示す概略図である。
【図２Ｆ】
クワーティキーボードの幾つかのキーが本発明による正帰還を設けるためにどのように変更されるかを示す概略図である。
【図２Ｇ】
クワーティキーボードの幾つかのキーが本発明による正帰還を設けるためにどのように変更されるかを示す概略図である。
【図２Ｈ】
クワーティキーボードの幾つかのキーが本発明による正帰還を設けるためにどのように変更されるかを示す概略図である。
【図３】
本発明にしたがって作られた改良されたクワーティキーボードを示す斜視図である。